(57)【要約】【課題】  内部のミルクが飲み易く、触感のよい哺乳器を提供すること。【解決手段】  この哺乳器は、乳房形状の２つの哺乳袋１と、この哺乳袋１を保持するブラジャー２とを有する。哺乳袋１は、軟質合成樹脂で成形されるので、触感がよい。また、哺乳風呂１は乳房状の中空体でその前面には乳首部４が一体成形される。乳首部４には乳導入管７が設けられ、この乳導入管７の他端は哺乳袋１の底部に位置する。これにより、哺乳袋１の底部に溜まったミルクを乳導入管７を介して吸い上げることができる。ブラジャー２は、手触りがよく且つ伸縮性の高い布製である。【選択図】図６
0003136029.tif 000002
【実用新案登録請求の範囲】
【請求項１】
伸縮性のある軟質材で構成された乳房状の中空体である哺乳袋と、この哺乳袋の前側略中央に当該哺乳袋と一体成形した乳首部と、哺乳袋の内部にて当該乳首部から延出し、その端部が哺乳袋の下部に位置する乳導入管と、を備えたことを特徴とする哺乳器。
【請求項２】
前記乳導入管は、哺乳袋と乳首部との間に仕切壁が設けられ、この仕切壁を貫通して乳首部の内部にその一端が開口し、その他端は哺乳袋の下部に位置していることを特徴とする請求項１に記載の哺乳器。
【請求項３】
更に、前記哺乳袋が左右に設けられ、その哺乳袋の底部において当該左右の哺乳袋を連結する連結管を備えたことを特徴とする請求項１又は２に記載の哺乳器。
【請求項４】
更に、前記哺乳袋の上部に設けられ、少なくとも液体及び気体に対して逆止弁として機能する乳投入口を備えたことを特徴とする請求項１〜３のいずれか一つに記載の哺乳器。
【請求項５】
伸縮性のある軟質材で構成された乳房状の中空体である、左右の哺乳袋と、各哺乳袋の前側略中央に当該哺乳袋と一体成形した乳首部と、  哺乳袋の底部において当該左右の哺乳袋を連結する連結管と、を備えたことを特徴とする哺乳器。
【請求項６】
伸縮性のある軟質材で構成された乳房状の中空体である哺乳袋と、この哺乳袋の前側略中央に当該哺乳袋と一体成形した乳首部と、哺乳袋の上部に設けられ、少なくとも液体及び気体に対して逆止弁として機能する乳投入口と、を備えたことを特徴とする哺乳器。
【請求項７】
更に、前記哺乳袋を保持するカップ状の哺乳袋保持部と背面下部を覆うように設けた保持カバーとを有すると共に、当該哺乳袋に設けた乳首部を通す穴を有するブラジャーを備えたことを特徴とする請求項１〜６のいずれか一つに記載の哺乳器。
【請求項８】
更に、前記ブラジャーの内面に断熱材を設けたことを特徴とする請求項７に記載の哺乳器。
【考案の詳細な説明】
【技術分野】
【０００１】  本考案は、乳児にミルクを与える際に用いる哺乳器に関する。
【背景技術】
【０００２】  従来の哺乳器は、乳房形状の本体の前面に円形の開口を設け、この開口に、その先端が乳首形状となった吸い口を着脱可能に設けた構成である。また、本体の上部には、ユーザが首にかけるためのバンドが設けられている。本体は中空であり、吸い口を外して開口から内部にミルクを入れ、前記吸い口を開口に取り付ける。そして、バンドを首にかけて、本体を所定の高さに位置させ、乳児にミルクを与える。【０００３】
【特許文献１】  実開昭５６−１３５７４５号公報
【考案の開示】
【考案が解決しようとする課題】
【０００４】  しかしながら、上記従来の哺乳器では、使用状態において本体内部にミルクが残ってしまう。即ち、バンドを首にかけた使用状態では、内部のミルクの液面が吸い口よりも低い位置になると、ユーザが体勢を変えたり或いは哺乳器を傾ける等しなければ上手くミルクを飲むことができないという問題点があった。また、開口と吸い口とのシールを十分に行わないと、内部からミルクが漏れてしまうため、比較的硬いものを用いて本体と吸い口を成形する必要がある。このため、触感が良くないという問題点があった。本考案は上記問題に鑑みてなされたものである。
【課題を解決するための手段】
【０００５】  上記課題を達成するために、本考案に係る哺乳器は、伸縮性のある軟質材で構成された乳房状の中空体である哺乳袋と、この哺乳袋の前側略中央に当該哺乳袋と一体成形した乳首部と、哺乳袋の内部にて当該乳首部から延出し、その端部が哺乳袋の下部に位置する乳導入管とを備えたことを特徴とする。【０００６】  また、本考案に係る哺乳器は、上記哺乳器において、前記乳導入管が、哺乳袋と乳首部との間に仕切壁が設けられ、この仕切壁を貫通して乳首部の内部にその一端が開口し、その他端は哺乳袋の下部に位置していることを特徴とする。【０００７】  また、本考案に係る哺乳器は、上記哺乳器において、更に、前記哺乳袋が左右に設けられ、その哺乳袋の底部において当該左右の哺乳袋を連結する連結管を備えたことを特徴とする。【０００８】  また、本考案に係る哺乳器は、上記哺乳器において、更に、前記哺乳袋の上部に設けられ、少なくとも液体及び気体に対して逆止弁として機能する乳投入口を備えたことを特徴とする。【０００９】  また、本考案に係る哺乳器は、伸縮性のある軟質材で構成された乳房状の中空体である、左右の哺乳袋と、各哺乳袋の前側略中央に当該哺乳袋と一体成形した乳首部と、哺乳袋の底部において当該左右の哺乳袋を連結する連結管とを備えたことを特徴とする。【００１０】  また、本考案に係る哺乳器は、伸縮性のある軟質材で構成された乳房状の中空体である哺乳袋と、この哺乳袋の前側略中央に当該哺乳袋と一体成形した乳首部と、哺乳袋の上部に設けられ、少なくとも液体及び気体に対して逆止弁として機能する乳投入口とを備えたことを特徴とする。【００１１】  また、本考案に係る哺乳器は、上記哺乳器において、更に、前記哺乳袋を保持するカップ状の哺乳袋保持部と背面下部を覆うように設けた保持カバーとを有すると共に、当該哺乳袋に設けた乳首部を通す穴を有するブラジャーを備えたことを特徴とする。【００１２】  また、本考案に係る哺乳器は、上記哺乳器において、更に、ブラジャーの内面に断熱材を設けたことを特徴とする。
【考案の効果】
【００１３】  本考案の哺乳器によれば、ユーザが体勢を変えたり或いは哺乳器を傾ける等しなくても内部のミルクを残さずに飲むことができる。また、全体的に軟質材で構成されているので、触感が良い。
【考案を実施するための最良の形態】
【００１４】  以下、この考案につき図面を参照しつつ詳細に説明する。なお、この実施例によりこの考案が限定されるものではない。また、以下に示す実施例の構成要素には、当業者が置換可能かつ容易なもの、或いは実質的同一のものが含まれる。【００１５】  図１は、本考案に係る哺乳器の上面図、図２は、本考案の哺乳器の正面図、図３は、本考案の哺乳器の底面図、図４は、本考案の哺乳器の側面図である。図５は、図２のＡ−Ａ’線矢視断面図であり、図６は、図２のＢ−Ｂ’線矢視断面図である。この哺乳器は、乳房形状の２つの哺乳袋１，１と、この哺乳袋１，１を保持するブラジャー２とを有する。【００１６】  哺乳袋１は、伸縮性の高い軟質合成樹脂またはゴムで成形された乳房状の中空体であり、その上部には、乳投入口３が設けられている。この乳投入口３には、図１１に示すように、逆止弁を備えた蓋３１が取り付けられる。この逆止弁は、哺乳袋１内に空気を導入できるが、その逆はできない構造である。また、この逆止弁付きの蓋により、哺乳袋１内のミルクが逆流せず、外部に漏れることはない。乳投入口３は、軟質合成樹脂製の哺乳袋１よりも剛性の高い樹脂からなり、哺乳袋１に対して接着固定される。蓋は、乳投入口３の先端にネジ結合され且つ好ましくは先端端部と蓋内部との間にシールが設けられ、当該蓋を乳投入口３に螺合したときに完全にシールされるようになる。【００１７】  上記軟質合成樹脂としては、例えばシリコン樹脂、ポリエチレン樹脂、ポリウレタン樹脂などを挙げることができる。また、哺乳袋１には、シリコンゴム、イソプレンゴムを用いてもよい。なお、哺乳袋１の背面は、胸への装着感を増すために、椀状の凹部が形成されていても良い。【００１８】  哺乳袋１の前側中央には、乳首部４が設けられる。乳首部４は、図９に示すように、哺乳袋１と一体成形されている。乳首部４の先端には、図示しない小さな穴が設けられている。哺乳袋１と乳首部４との間には仕切壁８が設けられ、この仕切壁８を貫通して乳首部４の内部にその端部が開口する乳導入管７が設けられる。この乳導入管７は、哺乳袋１と同様の軟質合成樹脂製である。また、乳導入管７の他端は、哺乳袋１の底部（下部）に配置される。具体的には、使用状態で乳導入管７の他端が、自重で哺乳袋１の底部に位置する。これにより、底部に溜まったミルクを、乳導入管７を介して吸い上げることができる。【００１９】  また、左右の哺乳袋１，１は、その底部において連結管５により連通している。連結管５は、好ましくは軟質合成樹脂により形成される。この連結管５により、左右の哺乳袋１，１の中のミルクが左右で同量となるように調整される。また、連結管５は、哺乳袋１の外側に露出しているので、その途中をクリップ等で挟んでしまえば、ミルクの左右哺乳袋１，１間の移動を阻止できる。このため、片方の哺乳袋１のみを用いて授乳することができる。【００２０】  乳首部４には、使用していない状態で内部のミルクが乳首部４から出てこないようにするため、図１０に示すような乳首キャップ６を取り付けることができる。この乳首キャップ６は、乳首部４と相似形状であり、フランジ部分内側に爪が設けられている。この爪は、乳首部４の周縁に成形された溝に引���掛かるようになっているので、当該乳首キャップ６を乳首部４に被せて押し込むことで、簡単に取り付けることができる。【００２１】  前記ブラジャー２は、手触りがよく且つ伸縮性の高い素材を用いて作るのが好ましく、例えばポリウレタン繊維やポリエステル、ナイロン、ポリブチルレンテレフタレート、ポリトリメチレンテレフタレートを仮撚加工した繊維を用いて製作する。このブラジャー２は、左右に設けたカップ状の哺乳袋保持部と、哺乳袋保持部から上に延出したバンドとを備えている。左右から延出したバンドは、ユーザが首にかけることができるように、上部で繋がっている（図示省略）。ブラジャー２の前面には、乳首部４を通す穴が設けられている。前記乳首部４は、図９に示すように、ブラジャー２の穴を通して前面に突出する。【００２２】  ブラジャー２の背面は、三日月形状かつ略平面の保持カバー９が設けられている。保持カバー９は、図７及び図８に示すように、ブラジャー背面の主に下部を覆うように設けられ、この保持カバー９とブラジャー２の下部分で前記哺乳袋１を保持する。保持カバー９は、伸縮性の高い布材で構成するのが好ましい。保持カバー９は、左右において釣り紐１０により釣られている。釣り紐１０の一端はマジックテープで保持カバー９に取り付けられ、釣り紐１０の他端は、ブラジャー背面の上部にマジックテープにより取り付けられる。また、ブラジャー２の内側面に断熱材を貼り付けるようにしても良い（図示省略）。断熱材としては、例えば表面にアルミをコーティングした布材や発泡ウレタンを用いることができる。【００２３】  次に、この哺乳器の使用方法を説明する。まず、乳首キャップ６を乳首部４に被せた状態で哺乳袋１をブラジャー２に取り付ける。具体的には、ブラジャー２の釣り紐１０を取り外し、左右両方の哺乳袋１を、ブラジャー背面と保持カバー９により形成する空間に挿入し、その状態で釣り紐１０を当該保持カバー９とブラジャー２の背面とにマジックテープで取り付ける。このようにして、ブラジャー２により哺乳袋１を保持する。なお、左右の哺乳袋１，１をブラジャーに保持する際は、哺乳袋１に設けた連結管５が折り曲がったりしないように注意する。【００２４】  次に、哺乳袋１の蓋を外して、当該哺乳袋１の内部に適温にしたミルクを入れ、再び蓋をする。なお、左右の哺乳袋１，１は連結管５で連結されているから、ミルクは一方の哺乳袋１のみに入れるようにしても良い。続いて、ブラジャー２のバンドをユーザの首にかける。この状態で、哺乳袋１内のミルクは連結管５を介して移動し、左右の哺乳袋１，１で均等量に配分される。また、必要に応じて、蓋を口に咥える等し、左右の各蓋から哺乳袋１，１内に空気を入れる。これにより、哺乳袋１，１が適当な大きさまで膨らむ。なお、哺乳袋１，１に入れる空気量は、乳首部４からミルクがこぼれない程度とする。このように、若干の空気を哺乳袋１，１に入れておくことで、哺乳器の触感が良くなる。【００２５】  授乳するときは、ユーザは乳首キャップ６を取り外し、乳首部４を乳児の口に咥えさせる。乳児が乳首部４を吸うことで、哺乳袋１の下部に溜まっているミルクが乳導入管７から吸い上げられ、仕切壁８と乳首部４とで形成される空間に至り、乳首部４の先端に設けた穴からミルクが出る。ミルクが減っても、乳導入管７の端部が哺乳袋１の底部に位置しているので、最後まで途切れることなく乳首部４からミルクを出すことができる。また、左右の哺乳袋１，１が連結管５で連結されているため、片方の哺乳袋１のミルクがもう片方の哺乳袋１に移動し、その結果、左右哺乳袋１，１に入っている全てのミルクを片方の哺乳袋１から飲むことができる。また、左右の哺乳袋１を交互に用いて授乳する場合でも、連結管５の作用により、左右哺乳袋１，１に入っているミルクが均等に減ることになるので、ユーザは左右の哺乳袋１，１の残量を気にすることなく授乳できる。【００２６】  以上、この考案の哺乳器によれば、哺乳袋１の下部に乳導入管７の一端が位置するので、体勢を変えたりしなくても、哺乳袋１の底部にミルクが残ることなく、略全て使いきることができる。また、軟質合成樹脂をもって哺乳袋１を形成し、乳首部４も当該軟質合成樹脂により一体成形されているため、当該乳首部４及びその周囲を柔らかい材料で形成できる。このため、乳児がミルクを飲む時、あたかも母親の乳房のような触感および温感等が得られると同時に、乳児の手にくっ付くような着用感があり、滑ることがなく、安心して飲める。これらは乳児に対して精神的な安定感、満足感を与え、さらには乳児の情緒発達に良い影響を与えることができると共に、乳児の指の動きを活発化させ、知能の発達にも大きく貢献できる。【００２７】  さらに、ブラジャー２の内側（裏面）に断熱材を設けることで、ミルクの温度低下を防止できる。なお、断熱材がなくてもブラジャー２の布厚によってある程度の保温効果がある。また、ブラジャー２は汚れたら洗濯できる。【００２８】  なお、上記の哺乳器は、哺乳袋１を一つにし、この哺乳袋１を保持するブラジャー２も片方のみとしても良い。即ち、左右の乳房状ではなく、片方のみの乳房状としてもよい。この場合、上記連結管５は不要である。
【図面の簡単な説明】
【００２９】
【図１】  本考案に係る哺乳器の上面図である。
【図２】  本考案の哺乳器の正面図である。
【図３】  本考案の哺乳器の底面図である。
【図４】  本考案の哺乳器の側面図である。
【図５】  図２のＡ−Ａ’線矢視断面図である。
【図６】  図２のＢ−Ｂ’線矢視断面図である。
【図７】  ブラジャーの背面図である。
【図８】  ブラジャーの断面図である。
【図９】  乳首部の周囲を示す断面図である。
【図１０】  乳首キャップを示す断面図である。
【図１１】  哺乳袋の蓋を示す断面図である。
【符号の説明】
【００３０】１  哺乳袋
２  ブラジャー
３  乳投入口
４  乳首部
５  連結管
７  乳導入管
８  仕切壁
９  保持カバー
１０  バンド
【図１】
0003136029.tif 000003
【図２】
0003136029.tif 000004
【図３】
0003136029.tif 000005
【図４】
0003136029.tif 000006
【図５】
0003136029.tif 000007
【図６】
0003136029.tif 000008
【図７】
0003136029.tif 000009
【図８】
0003136029.tif 000010
【図９】
0003136029.tif 000011
【図１０】
0003136029.tif 000012
【図１１】
0003136029.tif 000013
【図１２】
0003136029.tif 000014
【図１３】
0003136029.tif 000015
【手続補正書】
【提出日】平成19年7月10日(2007.7.10)
【手続補正１】
【補正対象書類名】明細書
【補正対象項目名】００２２
【補正方法】変更
【補正の内容】
【００２２】ブラジャー２の背面は、三日月形状かつ略平面の保持カバー９が設けられている。保持カバー９は、図７及び図８に示すように、ブラジャー背面の主に下部を覆うように設けられ、この保持カバー９とブラジャー２の下部分で前記哺乳袋１を保持する。保持カバー９は、伸縮性の高い布材で構成するのが好ましい。保持カバー９は、左右において釣り紐１０により釣られている。釣り紐１０の一端はマジックテープ（登録商標）で保持カバー９に取り付けられ、釣り紐１０の他端は、ブラジャー背面の上部にマジックテープ（登録商標）により取り付けられる。また、ブラジャー２の内側面に断熱材を貼り付けるようにしても良い（図示省略）。断熱材としては、例えば表面にアルミをコーティングした布材や発泡ウレタンを用いることができる。
【手続補正１】
【補正対象書類名】明細書
【補正対象項目名】００２９
【補正方法】変更
【補正の内容】
【００２９】
【図１】  本考案に係る哺乳器の上面図である。
【図２】  本考案の哺乳器の正面図である。
【図３】  本考案の哺乳器の底面図である。
【図４】  本考案の哺乳器の側面図である。
【図５】  図２のＡ−Ａ’線矢視断面図である。
【図６】  図２のＢ−Ｂ’線矢視断面図である。
【図７】  ブラジャーの背面図である。
【図８】  ブラジャーの断面図である。
【図９】  乳首部の周囲を示す断面図である。
【図１０】  乳首キャップを示す断面図である。
【図１１】  哺乳袋の蓋を示す断面図である。
【図１２】  従来の哺乳瓶